(57)【要約】【課題】スイッチ取付部におけるスイッチの位置決め精度を高めつつ、スイッチのスイッチ取付部に対する誤取付を確実に防止できるスイッチ取付構造を提供すること。【解決手段】選択されたスイッチ取付部に、選択されたスイッチ取付部と種類が一致したスイッチを一方向から取り付けるスイッチ取付構造において、スイッチが、レール状の位置決め部と凹凸形状の識別部とを有し、スイッチ取付部が、位置決め部に係合してスイッチを一方向に案内しつつスイッチの取付位置を位置決めする位置決め案内部と、スイッチとスイッチ取付部とが同じ種類であるときに識別部と係合する一方、スイッチとスイッチ取付部とが異なる種類であるときに識別部と係合しない識別係合部とを有する。【選択図】図１
2019079626.tif 000002
【特許請求の範囲】
【請求項１】
複数種類のスイッチを種類毎に取り付け可能な複数種類のスイッチ取付部の中から選択されたスイッチ取付部に、複数種類のスイッチの中から選択されかつ選択された前記スイッチ取付部と種類が一致したスイッチを一方向から取り付けるスイッチ取付構造であって、
前記スイッチは、
前記スイッチの種類にかかわらず同じ位置に配置されたレール状の位置決め部と、
前記スイッチの種類毎に異なる位置に配置された凹凸形状の識別部と
を有し、
前記スイッチ取付部は、
前記スイッチの種類にかかわらず同じ位置に配置されて、前記位置決め部に係合して前記スイッチを前記一方向に案内しつつ前記スイッチの取付位置を位置決めする位置決め案内部と、
前記スイッチの種類毎に異なる位置に配置されて、前記スイッチと前記スイッチ取付部とが同じ種類であるときに前記識別部と係合する一方、前記スイッチと前記スイッチ取付部とが異なる種類であるときに前記識別部と係合せずに前記スイッチの前記スイッチ取付部への取り付けを不可とする識別係合部と
を有する、スイッチ取付構造。
【請求項２】
前記識別部が、レール状を有し、前記識別係合部が、前記識別部に係合して前記スイッチを前記一方向に案内しつつ前記スイッチの取付位置を位置決めする、請求項１のスイッチ取付構造。
【請求項３】
複数種類の前記スイッチが、前記識別部を除いて同一の外観形状を有している、請求項１または２のスイッチ取付構造。
【請求項４】
前記スイッチ取付部に取り付けられる前記スイッチが有する製品特性毎に、対応する一組の前記識別部および前記識別係合部が設けられている、請求項１から３のいずれか１つの取付構造。
【発明の詳細な説明】
【技術分野】
【０００１】
本開示は、スイッチ取付構造に関する。
【背景技術】
【０００２】
特許文献１には、取り外し可能な複数の突部が設けられた組付部品と、複数の突部の１つを係止する１つのスリットが設けられた被組付部とを備え、組み付ける被組付部に対応した突部のみを残して組付部品から複数の突部を取り除くことで、組付部品を被組付部に組み付けることができる誤組付防止構造が開示されている。
【先行技術文献】
【特許文献】
【０００３】
【特許文献１】特開２０１０−１０２９２７号公報
【発明の概要】
【発明が解決しようとする課題】
【０００４】
しかし、前記誤組付防止構造では、組付部品を被組付部に組み付けるときに、被組付部に応じて組付部品から少なくとも１つの突部を取り除かなければならないため、取り除くべき突部を間違えると、誤組付を防止できない。
【０００５】
また、前記誤組付防止構造では、組付部品の被組付部に対する位置決めについては考慮されていないため、組付部品の非組付部に対する位置決め精度にばらつきが生じる場合がある。
【０００６】
本開示は、スイッチ取付部におけるスイッチの位置決め精度を高めつつ、スイッチのスイッチ取付部に対する誤取付を確実に防止できるスイッチ取付構造を提供することを目的とする。
【課題を解決するための手段】
【０００７】
本開示の一例のスイッチ取付構造は、
複数種類のスイッチを種類毎に取り付け可能な複数種類のスイッチ取付部の中から選択されたスイッチ取付部に、複数種類のスイッチの中から選択されかつ選択された前記スイッチ取付部と種類が一致したスイッチを一方向から取り付けるスイッチ取付構造であって、
前記スイッチは、
前記スイッチの種類にかかわらず同じ位置に配置されたレール状の位置決め部と、
前記スイッチの種類毎に異なる位置に配置された凹凸形状の識別部と
を有し、
前記スイッチ取付部は、
前記スイッチの種類にかかわらず同じ位置に配置されて、前記位置決め部に係合して前記スイッチを前記一方向に案内しつつ前記スイッチの取付位置を位置決めする位置決め案内部と、
前記スイッチの種類毎に異なる位置に配置されて、前記スイッチと前記スイッチ取付部とが同じ種類であるときに前記識別部と係合する一方、前記スイッチと前記スイッチ取付部とが異なる種類であるときに前記識別部と係合せずに前記スイッチの前記スイッチ取付部への取り付けを不可とする識別係合部と
を有する。
【発明の効果】
【０００８】
前記スイッチ取付構造によれば、各スイッチが凹凸形状の識別部を有し、各スイッチ取付部が識別部に係合する識別係合部とを有している。識別部および識別係合部は、スイッチの種類毎に異なる位置にそれぞれ配置されているため、各スイッチ取付部には、種類が一致したスイッチのみを位置決めしつつ取り付けることができ、種類が一致しないスイッチを取り付けることができない。これにより、各スイッチの対応するスイッチ取付部に対する誤取付を確実に防止できる。
【０００９】
また、各スイッチがレール状の位置決め部を有し、各スイッチ取付部が位置決め部に係合する位置決め案内部を有している。位置決め部および位置決め案内部は、スイッチの種類にかかわらず同じ位置にそれぞれ配置されているため、いずれのスイッチもスイッチ取付部に対して同じ位置に位置決めすることができる。これにより、各スイッチの対応するスイッチ取付部に対する位置決め精度を高めることができる。
【図面の簡単な説明】
【００１０】
【図１】本開示の一例のスイッチ取付構造を示す斜視図。
【図２】図１のスイッチ取付構造の第１スイッチを示す斜視図。
【図３】図１のスイッチ取付構造の第２スイッチを示す斜視図。
【図４】図１のスイッチ取付構造の第１スイッチ取付部を示す斜視図。
【図５】図１のスイッチ取付構造の第２スイッチ取付部を示す斜視図。
【図６】図１のスイッチ取付構造の第１の変形例を説明するための第１の平面図。
【図７】図１のスイッチ取付構造の第１の変形例を説明するための第２の平面図。
【図８】図１のスイッチ取付構造の第２の変形例を説明するための第１の斜視図。
【図９】図１のスイッチ取付構造の第２の変形例を説明するための第２の斜視図。
【発明を実施するための形態】
【００１１】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１２】
図１に、本開示の一例のスイッチ取付構造を示す。このスイッチ取付構造は、複数種類のスイッチ取付部（この実施形態では、第１スイッチ取付部３０および第２スイッチ取付部４０）の中から選択された１つのスイッチ取付部に、複数種類のスイッチ（この実施形態では、第１スイッチ１０および第２スイッチ２０）の中から選択された１つのスイッチを一方向（図１に矢印Ａおよび矢印Ｂで示す）から取り付ける取付構造である。
【００１３】
第１スイッチ１０は、ＮＯ（ノーマリーオープン）タイプのスイッチであり、第２スイッチ２０は、ＮＣ（ノーマリークローズ）タイプのスイッチである。また、第１スイッチ取付部３０は、第１スイッチ１０を取り付け可能に構成され、第２スイッチ取付部４０は、第１スイッチ１０と略同一サイズで形成され、第２スイッチ２０を取り付け可能に構成されている。
【００１４】
詳しくは、第１スイッチ１０は、図２に示すように、略直方体状のハウジング１１と、ハウジング１１に収容された可動部材１２とを備えている。ハウジング１１は、操作孔１４が設けられた操作面１３を有している。また、可動部材１２は、操作孔１４を介して操作面１３に交差（例えば、直交）する可動方向に沿ってハウジング１１に対して往復移動可能に配置されている。この可動部材１２の往復移動により、ハウジング１１の内部に設けられた接点機構部（図示せず）の動作／非動作が切り替えられて、第１スイッチ１０をオンオフするようになっている。
【００１５】
また、図２に示すように、第１スイッチ１０のハウジング１１には、位置決め部１５と、識別部１６とが設けられている。
【００１６】
位置決め部１５は、ハウジング１１の操作面１３および第１スイッチ１０の取付方向Ａに直交しかつ相対する一対の側面１１１、１１２にそれぞれ設けられ、各側面１１１、１１２の長手方向の略中央部にそれぞれ配置されている。各位置決め部１５は、凹凸形状（この実施形態では、ハウジング１１の内部に向かって窪んだ凹形状）を有し、各側面１１１、１１２の短手方向（すなわち、第１スイッチ１０の取付方向Ａ）に沿ってレール状に延びている。
【００１７】
識別部１６は、位置決め部１５が設けられているハウジング１１の一対の側面１１１、１１２にそれぞれ設けられ、ハウジング１１の各側面１１１、１１２の長手方向における操作面１３と位置決め部１５との中間にそれぞれ配置されている。各識別部１６は、凹凸形状（この実施形態では、ハウジング１１の内部に向かって窪んだ凹形状）を有し、各側面１１１、１１２の短手方向（すなわち、第１スイッチ１０の取付方向Ａ）に沿ってレール状に延びている。
【００１８】
第２スイッチ２０は、図３に示すように、第１スイッチ１０と同様に、略直方体状のハウジング２１と、ハウジング２１に収容された可動部材２２とを備えている。ハウジング２１は、操作孔２４が設けられた操作面２３を有している。また、可動部材２２は、操作孔２４を介して操作面２３に交差（例えば、直交）する可動方向に沿ってハウジング２１に対して往復移動可能に配置されている。この可動部材２２の往復移動により、ハウジング２１の内部に設けられた接点機構部（図示せず）の動作／非動作が切り替えられて、第２スイッチ２０をオンオフするようになっている。
【００１９】
また、図３に示すように、第２スイッチ１０のハウジング２１には、第１スイッチ２０と同様に、位置決め部２５と識別部２６とが設けられている。
【００２０】
位置決め部２５は、ハウジング２１の操作面２３および第２スイッチ２０の取付方向Ｂに直交しかつ相対する一対の側面２１１、２１２にそれぞれ設けられ、各側面２１１、２１２の長手方向の略中央部にそれぞれ配置されている。各位置決め部２５は、凹凸形状（この実施形態では、ハウジング１１の内部に向かって窪んだ凹形状）を有し、各側面２１１、２１２の短手方向（すなわち、第２スイッチ２０の取付方向Ｂ）に沿ってレール状に延びている。
【００２１】
識別部２６は、位置決め部２５が設けられているハウジング２１の一対の側面２１１、２１２にそれぞれ設けられ、ハウジング２１の各側面２１１、２１２の長手方向における操作面２３側の端部にそれぞれ配置されている。各識別部２６は、凹凸形状（この実施形態では、ハウジング１１の内部に向かって窪んだ凹形状）を有し、各側面２１１、２１２の短手方向（すなわち、第２スイッチ２０の取付方向Ｂ）に沿ってレール状に延びている。
【００２２】
すなわち、第１スイッチ１０および第２スイッチ２０は、各識別部１６、２６を除いて同一の外観形状を有し、略同一サイズで形成されている。
【００２３】
第１スイッチ取付部３０は、図４に示すように、略直方体の中空箱状で、その内部に第１スイッチ１０を収容可能な収容部３１を有している。第１スイッチ取付部３０には、第１スイッチ１０の取付方向Ａの一方に設けられた挿入開口面３２と、第１スイッチ取付部３０の長手方向の一方に設けられた操作開口面３３とが設けられている。挿入開口面３２は、第１スイッチ１０を取付方向Ａから挿入可能な開口部３２１を有している。また、操作開口面３３は、挿入開口面３２の開口部３２１に接続されて、第１スイッチ１０が第１スイッチ取付部３０に取り付けられたときに、第１スイッチ１０のハウジング１１の操作面１３が第１スイッチ取付部３０の外部に露出可能な開口部３３１を有している。
【００２４】
また、図４に示すように、第１スイッチ取付部３０には、位置決め案内部３４と、識別係合部３５とが設けられている。
【００２５】
位置決め案内部３４は、第１スイッチ取付部３０の挿入開口面３２および操作開口面３３に直交する一対の側壁部３０１、３０２の収容部３１側の内面にそれぞれ設けられ、各側壁部３０１、３０２の内面の長手方向の略中央部にそれぞれ配置されている。各位置決め案内部３４は、凹凸形状（この実施形態では、各側壁部３０１、３０２の内面から対向する側壁部３０１、３０２に向かって突出する凸形状）を有し、各側壁部３０１、３０２の内面の短手方向（すなわち、第１スイッチ１０の取付方向Ａ）に沿って延びている。この位置決め案内部３４には、第１スイッチ１０の位置決め部１５が係合可能になっている。すなわち、各位置決め案内部３４は、対応する第１スイッチ１０の位置決め部１５に係合して第１スイッチ１０を一方向（すなわち、取付方向Ａ）に案内しつつ第１スイッチ１０の取付位置を位置決めする。
【００２６】
識別係合部３５は、位置決め案内部３４が設けられている一対の側壁部３０１、３０２の収容部３１側の内面にそれぞれ設けられ、各側壁部３０１、３０２の内面の長手方向における操作開口面３３と位置決め案内部３４との中間にそれぞれ配置されている。各識別係合部３５は、凹凸形状（この実施形態では、各側壁部３０１、３０２の内面から対向する側壁部３０１、３０２に向かって突出する凸形状）を有し、各側壁部３０１、３０２の内面の短手方向（すなわち、第１スイッチ１０の取付方向Ａ）に沿って延びている。この識別係合部３５は、第１スイッチ１０の識別部１６に対して係合可能になっている。
【００２７】
第２スイッチ取付部４０は、図５に示すように、第１スイッチ取付部３０と同様に、略直方体の中空箱状で、その内部に第２スイッチ２０を収容可能な収容部４１を有している。第２スイッチ取付部４０には、第２スイッチ２０の取付方向Ｂの一方に設けられた挿入開口面４２と、第２スイッチ取付部４０の長手方向の一方に設けられた操作開口面４３とが設けられている。挿入開口面４２は、第２スイッチ２０を取付方向Ｂから挿入可能な開口部４２１を有している。また、操作開口面４３は、挿入開口面４２の開口部４２１に接続されて、第２スイッチ２０が第２スイッチ取付部４０に取り付けられたときに、第２スイッチ２０のハウジング２１の操作面２３が第２スイッチ取付部４０の外部に露出可能な開口部４３１を有している。
【００２８】
また、図５に示すように、第２スイッチ取付部４０には、第１スイッチ取付部３０と同様に、位置決め案内部４４と、識別係合部４５とが設けられている。
【００２９】
位置決め案内部４４は、第２スイッチ取付部４０の挿入開口面４２および操作開口面４３に直交する一対の側壁部４０１、４０２の収容部４１側の内面にそれぞれ設けられ、各側壁部４０１、４０２の内面の長手方向の略中央部にそれぞれ配置されている。各位置決め案内部４４は、凹凸形状（この実施形態では、各側壁部４０１、４０２の内面から対向する側壁部４０１、４０２に向かって突出する凸形状）を有し、各側壁部４０１、４０２の内面の短手方向（すなわち、第２スイッチ２０の取付方向Ｂ）に沿って延びている。この位置決め案内部４４には、第２スイッチ２０の位置決め部２５が係合可能になっている。すなわち、各位置決め案内部４４は、対応する第２スイッチ２０の位置決め部２５に係合して第２スイッチ２０を一方向（すなわち、取付方向Ｂ）に案内しつつ第２スイッチ２０の取付位置を位置決めする。
【００３０】
第１スイッチ取付部３０の位置決め案内部３４と、第２スイッチ取付部４０の位置決め案内部４４とは、操作開口面３３、４３からの直線距離Ｌ１、Ｌ２が同一になるように構成されている。すなわち、各位置決め案内部３４、４４は、スイッチ１０、２０の種類にかかわらず同じ位置に配置されている。
【００３１】
識別係合部４５は、位置決め案内部４４が設けられている一対の側壁部４０１、４０２の収容部４１側の内面にそれぞれ設けられ、各側壁部４０１、４０２の内面の長手方向における操作開口面４３側の端部にそれぞれ配置されている。各識別係合部４５は、凹凸形状（この実施形態では、各側壁部４０１、４０２の内面から対向する側壁部４０１、４０２に向かって突出する凸形状）を有し、各側壁部４０１、４０２の内面の短手方向（すなわち、第２スイッチ２０の取付方向Ｂ）に沿って延びている。この識別係合部４５は、第２スイッチ２０の識別部２６に対して係合可能になっている。
【００３２】
すなわち、第１スイッチ取付部３０の識別係合部３５および第２スイッチ取付部４０の識別係合部４５は、スイッチ１０、２０の種類毎に異なる位置に配置されている。これにより、スイッチ１０、２０とスイッチ取付部３０、４０とが同じ種類であるとき（すなわち、第１スイッチ１０を第１スイッチ取付部３０に取り付けるとき、あるいは、第２スイッチ２０を第２スイッチ取付部４０に取り付けるとき）に取り付けるスイッチ１０、２０の識別部１６、２６と係合して、スイッチ１０、２０のスイッチ取付部３０、４０への取り付けを可能とする。一方、スイッチ１０、２０とスイッチ取付部３０、４０とが異なる種類であるとき（すなわち、第１スイッチ１０を第２スイッチ取付部４０に取り付けるとき、あるいは、第２スイッチ２０を第１スイッチ取付部３０に取り付けるとき）に取り付けるスイッチ１０、２０の識別部１６、２６と係合せずに、スイッチ１０、２０のスイッチ取付部３０、４０への取り付けを不可能とする。
【００３３】
このように、前記スイッチ取付構造では、各スイッチ１０、２０が凹凸形状の識別部１６、２６を有し、各スイッチ取付部３０、４０が識別部１６、２６に係合する識別係合部３５、４５とを有している。識別部１６、２６および識別係合部３５、４５は、スイッチ１０、２０の種類毎に異なる位置にそれぞれ配置されているため、各スイッチ取付部３０、４０には、種類が一致したスイッチ１０、２０のみを位置決めしつつ取り付けることができ、種類が一致しないスイッチ１０、２０を取り付けることができない。これにより、各スイッチ１０、２０の対応するスイッチ取付部３０、４０に対する誤取付を確実に防止できる。
【００３４】
また、各スイッチ１０、２０がレール状の位置決め部１５、２５を有し、各スイッチ取付部３０、４０が位置決め部１５、２５に係合する位置決め案内部３４、４４を有している。位置決め部１５、２５および位置決め案内部３４、４４は、スイッチ１０、２０の種類にかかわらず同じ位置に配置されているため、いずれのスイッチ１０、２０もスイッチ取付部３０、４０に対して同じ位置に位置決めすることができる。これにより、各スイッチ１０、２０の対応するスイッチ取付部３０、４０に対する位置決め精度を高めることができる。
【００３５】
ところで、誤って異なる種類のスイッチをスイッチ取付部に取り付けようとするとき（例えば、第１スイッチ１０を第２スイッチ取付部４０に取り付けようとするとき）、まず、第１スイッチ１０を第１スイッチ取付部３０に対して、位置決め部１５を位置決め案内部３４に係合して位置決めしつつ取り付けようとする。その後、識別部１６と識別係合部３５とが係合せずに、種類の不一致に気付くため、取り付け開始時から識別部１６と識別係合部３５とに大きな外力が不用意に加えられず、スイッチ１０およびスイッチ取付部３０が損傷し難くなる。また、位置決め部１５は、レール状を有しているため、説明書などを読まなくても位置決め用の構成であると認識され易く、前述の理由により、スイッチ１０およびスイッチ取付部３０がさらに不用意に損傷し難くなる。
【００３６】
また、前記スイッチ取付構造では、各スイッチ１０、２０の識別部１６、２６が、それぞれレール状を有し、各スイッチ取付部３０、４０の識別係合部３５、４５が、対応する識別部１６、２６に係合して各スイッチ１０、２０を取付方向Ａ、Ｂに案内しつつ各スイッチ１０、２０の対応するスイッチ取付部３０、４０への取付位置を位置決めしている。これにより、各スイッチ１０、２０の対応するスイッチ取付部３０、４０に対する位置決め精度をさらに高めることができる。
【００３７】
また、複数種類のスイッチ１０、２０が、識別部１６、２６を除いて同一の外観形状を有している。このような複数種類のスイッチ１０、２０を用いる場合、各スイッチ１０、２０の対応するスイッチ取付部３０、４０に対する誤取付が発生し易くなるため、本開示の有用性が高まる。
【００３８】
なお、位置決め部１５、２５は、レール状であればよく、凹凸形状を有する場合に限らない。また、位置決め案内部３４、４４は、位置決め部１５、２５に係合してスイッチ１０、２０を一方向に案内しつつスイッチ１０、２０の取付位置を位置決めすることができるように構成されていればよく、位置決め部１５、２５に対応する凹凸形状を有する場合に限らない。
【００３９】
識別部１６、２６は、スイッチ１０、２０の種類毎に異なる位置に配置されていればよく、レール状を有する場合に限らない。また、識別係合部３５、４５は、スイッチ１０、２０の種類毎に異なる位置に配置されて、各スイッチ取付部３０、４０に種類が一致したスイッチ１０、２０のみを取り付けることができ、種類が一致しないスイッチ１０、２０を取り付けることができないように構成されていればよく、対応する識別部１６、２６に係合して各スイッチ１０、２０を取付方向Ａ、Ｂに案内しつつ各スイッチ１０、２０の対応するスイッチ取付部３０、４０への取付位置を位置決めする場合に限らない。
【００４０】
複数種類のスイッチ１０、２０は、識別部１６、２６を除いて同一の外観形状を有する場合に限らない。各スイッチ１０、２０相互に異なる外観形状を有していてもよい。
【００４１】
前記スイッチ取付部には、図６および図７に示すように、スイッチ取付部３０、４０に取り付けられるスイッチ１０、２０が有する製品特性毎に、対応する一組の識別部および識別係合部が設けられていてもよい。
【００４２】
例えば、スイッチ１０が有する製品特性として、ＮＯタイプか否か、ＮＣタイプか否か、抵抗回路の有無、および、防水機能の有無があるとする。スイッチ取付部３０に取り付けられるスイッチ１０が、ＮＯタイプである場合、一組の識別部１６１および識別係合部３５１を設け、ＮＣタイプである場合、一組の識別部１６２および識別係合部３５２を設け、内部に抵抗回路を有する場合、一組の識別部１６３および識別係合部３５４を設け、防水機能を有する場合、一組の識別部１６４および識別係合部３５４を設ける。
【００４３】
すなわち、図６に示すスイッチ取付構造では、スイッチ取付部３０に取り付けられたスイッチが、ＮＣタイプであり、防水機能を有している。また、図７に示すスイッチ取付構造では、スイッチ取付部３０に取り付けられたスイッチが、ＮＯタイプであり、内部に抵抗回路を有している。
【００４４】
このように、スイッチ取付部３０、４０に取り付けられるスイッチ１０、２０が有する製品特性毎に、対応する一組の識別部および識別係合部を設けることで、取り付けられているスイッチ１０、２０の製品特性を容易に識別することができる。
【００４５】
なお、各組の識別部および識別係合部は、スイッチ１０の取付方向Ａ（図６および図７の紙面貫通方向）から見て、スイッチ１０およびスイッチ取付部３０の短手方向の一方側に設けられていればよく、スイッチ１０およびスイッチ取付部３０の短手方向の両側に設けられている場合に限らない。
【００４６】
本開示のスイッチ取付構造は、前記実施形態に限らず、例えば、図８および図９に示すスイッチ１１０およびスイッチ取付部１３０、１４０にも適用できる。なお、図８では、スイッチ取付部１４０に取り付けるスイッチを省略している。
【００４７】
スイッチ１１０は、図９に示すように、その取付方向（すなわち、図９の紙面貫通方向）から見て、操作面１３の一端部（すなわち、図９の右端部）に可動部材１２が設けられ、操作面１３の他端部（すなわち、図９の左端部）に可動部材１２を操作する操作レバー１７が設けられている。また、スイッチ１１０は、その取付方向（すなわち、図８および図９の紙面貫通方向）から見て、ハウジング１１の操作面１３に対向する面の底面の両端部にレール状の位置決め部１５を有している。
【００４８】
このように、本開示は、様々な構成のスイッチに適用可能である。
【００４９】
以上、図面を参照して本開示における種々の実施形態を詳細に説明したが、最後に、本開示の種々の態様について説明する。なお、以下の説明では、一例として、参照符号も添えて記載する。
【００５０】
本開示の第１態様の取付構造は、
複数種類のスイッチ１０、２０を種類毎に取り付け可能な複数種類のスイッチ取付部３０、４０の中から選択されたスイッチ取付部３０、４０に、複数種類のスイッチ１０、２０の中から選択されかつ選択された前記スイッチ取付部３０、４０と種類が一致したスイッチ１０、２０を一方向から取り付けるスイッチ取付構造であって、
前記スイッチ１０、２０は、
前記スイッチ１０、２０の種類にかかわらず同じ位置に配置されたレール状の位置決め部１５、２５と、
前記スイッチ１０、２０の種類毎に異なる位置に配置された凹凸形状の識別部１６、２６と
を有し、
前記スイッチ取付部３０、４０は、
前記スイッチ１０、２０の種類にかかわらず同じ位置に配置されて、前記位置決め部１５、２５に係合して前記スイッチ１０、２０を前記一方向Ａ、Ｂに案内しつつ前記スイッチ１０、２０の取付位置を位置決めする位置決め案内部３４、４４と、
前記スイッチ１０、２０の種類毎に異なる位置に配置されて、前記スイッチ１０、２０と前記スイッチ取付部３０、４０とが同じ種類であるときに前記識別部１６、２６と係合する一方、前記スイッチ１０、２０と前記スイッチ取付部３０、４０とが異なる種類であるときに前記識別部１６、２６と係合せずに前記スイッチ１０、２０の前記スイッチ取付部３０、４０への取り付けを不可とする識別係合部３５、４５と
を有する。
【００５１】
第１態様の取付構造によれば、識別部１６、２６および識別係合部３５、４５は、スイッチ１０、２０の種類毎に異なる位置にそれぞれ配置されているため、各スイッチ取付部３０、４０には、種類が一致したスイッチ１０、２０のみを位置決めしつつ取り付けることができ、種類が一致しないスイッチ１０、２０を取り付けることができない。これにより、各スイッチ１０、２０の対応するスイッチ取付部３０、４０に対する誤取付を確実に防止できる。
【００５２】
また、位置決め部１５、２５および位置決め案内部３４、４４は、スイッチ１０、２０の種類にかかわらず同じ位置に配置されているため、いずれのスイッチ１０、２０もスイッチ取付部３０、４０に対して同じ位置に位置決めすることができる。これにより、各スイッチ１０、２０の対応するスイッチ取付部３０、４０に対する位置決め精度を高めることができる。
【００５３】
本開示の第２態様の取付構造は、
前記識別部１６、２６が、レール状を有し、前記識別係合部３５、４５が、前記識別部１６、２６に係合して前記スイッチ１０、２０を前記一方向Ａ、Ｂに案内しつつ前記スイッチ１０、２０の取付位置を位置決めする。
【００５４】
第２態様の取付構造によれば、各スイッチ１０、２０の対応するスイッチ取付部３０、４０に対する位置決め精度をさらに高めることができる。
【００５５】
本開示の第３態様の取付構造は、
複数種類の前記スイッチが、前記識別部を除いて同一の外観形状を有している。
【００５６】
第３態様の取付構造によれば、このような複数種類のスイッチ１０、２０を用いる場合、各スイッチ１０、２０の対応するスイッチ取付部３０、４０に対する誤取付が発生し易くなるため、本開示の有用性が高まる。
【００５７】
本開示の第４態様の取付構造は、
前記スイッチ取付部に取り付けられる前記スイッチが有する製品特性毎に、対応する一組の前記識別部および前記識別係合部が設けられている。
【００５８】
第４態様の取付構造によれば、取り付けられているスイッチ１０、２０の製品特性を容易に識別することができる。
【００５９】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６０】
本開示の取付構造は、例えば、自動車に適用できる。
【符号の説明】
【００６１】
１０、２０、１１０  スイッチ
１１、２１  ハウジング
１１１、１１２、２１１、２１２  側面
１２、２２  可動部材
１３、２３  操作面
１４、２４  操作孔
１５、２５  位置決め部
１６、２６、１６１、１６２、１６３、１６４  識別部
１７  操作レバー
３０、４０、１３０、１４０  スイッチ取付部
３０１、３０２、４０１、４０２  側壁部
３１、４１  収容部
３２、４２  挿入開口面
３２１、３２１  開口部
３３、４３  操作開口面
３３１、４３１  開口部
３４、４４  位置決め案内部
３５、４５、３５１、３５２、３５３、３５４  識別係合部
Ａ、Ｂ  取付方向
Ｌ１、Ｌ２  直線距離
【図１】
2019079626.tif 000003
【図２】
2019079626.tif 000004
【図３】
2019079626.tif 000005
【図４】
2019079626.tif 000006
【図５】
2019079626.tif 000007
【図６】
2019079626.tif 000008
【図７】
2019079626.tif 000009
【図８】
2019079626.tif 000010
【図９】
2019079626.tif 000011